(57)【要約】【課題】セキュアなローカルエリアＯＦＤＭ用の光符号分割における仮想Ｉ／Ｑ多重化のシステムおよび方法を提供する。【解決手段】仮想Ｉ／Ｑ多重化の方法は、複数のスペクトルビンを含む広域スペクトル信号を符号化して、少なくとも２つのチャネル上に相補的なスペクトル符号を与えることを含んでいる。相補的なスペクトル符号は、各チャネルに対して、逆極性で強度変調される。Ｍ値直交周波数分割多重（ＯＦＤＭ）信号は、逆極性の相補的なスペクトル符号を用いて別々の相補的スペクトル符号化（ＣＳＥ）光符号で変調され、ＯＦＤＭ信号に対して仮想同相（Ｉ）／直交（Ｑ）（Ｉ／Ｑ）多重化を与える。【選択図】図１
2009095025.tif 000002
【特許請求の範囲】
【請求項１】
複数のスペクトルビンを含む広域スペクトル信号を符号化して、少なくとも２つのチャネル上に相補的スペクトル符号を与えることと、
前記相補的スペクトル符号を各チャネルに対して逆極性で強度変調することと、
前記逆極性の相補的スペクトル符号を用いてＭ値直交周波数分割多重（ＯＦＤＭ）信号を別々の相補的スペクトル符号化（ＣＳＥ）光符号で変調して前記ＯＦＤＭ信号に対する仮想同相（Ｉ）／直交（Ｑ）（Ｉ／Ｑ）多重化を行うことと、
を有する送信方法。
【請求項２】
送信用の別々の相補的スペクトル符号化（ＣＳＥ）光符号チャネルをネットワークリンクに結合することをさらに含む、請求項１に記載の方法。
【請求項３】
前記符号化は、第１のチャネルに現れるスペクトルビンが第２のチャネルに現れないように、相補的な方法でスペクトル波長を分離することを含む、請求項１に記載の方法。
【請求項４】
仮想Ｉ／Ｑ多重化に用いられる前記相補的スペクトル符号化（ＣＳＥ）光符号は、互いに直交して非干渉条件をもたらす、請求項１に記載の方法。
【請求項５】
２つの光符号は、Ｉ信号およびＱ信号の各々に対して１つずつ採用される、請求項１に記載の方法。
【請求項６】
相補的スペクトル符号化（ＣＳＥ）光符号化信号を、逆極性を有する２つのスペクトル分布に復号して、少なくとも２つのチャネル上に相補的スペクトル符号を与えることと、
各チャネルのＣＳＥ符号間の直交関係に起因する多重チャネル干渉を最小化しながら、平衡光検出器を使用して前記少なくとも２つのチャネルから直交周波数分割多重（ＯＦＤＭ）信号を抽出することと、
を有する、相補的スペクトル符号化（ＣＳＥ）光符号化信号を受信する方法。
【請求項７】
検出されたＩ／Ｑチャネル波形を並列サンプリングすることをさらに含む、請求項６に記載の方法。
【請求項８】
前記復号は、第１のチャネルに現れるスペクトルビンが第２のチャネルに現れないように、相補的な方法でスペクトル波長を分離することを含む、請求項６に記載の方法。
【請求項９】
前記相補的スペクトル符号化（ＣＳＥ）光符号は、互いに直交して非干渉条件をもたらす、請求項６に記載の方法。
【請求項１０】
２つの光符号は、Ｉ信号およびＱ信号の各々に対して１つずつ採用される、請求項６に記載の方法。
【請求項１１】
複数のスペクトルビンを符号化するように構成され、少なくとも２つのチャネル上に相補的スペクトル符号を与えるエンコーダと、
前記相補的スペクトル符号を各チャネルに対して逆極性で変調し、前記逆極性の相補的スペクトル符号を用いてＭ値直交周波数分割多重（ＯＦＤＭ）信号を別々の相補的スペクトル符号化（ＣＳＥ）光符号で変調して前記ＯＦＤＭ信号に対する仮想同相（Ｉ）／直交（Ｑ）（Ｉ／Ｑ）多重化を行うように構成された強度変調器と、
を有する送信機。
【請求項１２】
別々の相補的スペクトル符号化（ＣＳＥ）光符号チャネルが、送信用にネットワークリンクに結合されている、請求項１１に記載の送信機。
【請求項１３】
前記エンコーダは、第１のチャネルに現れるスペクトルビンが第２のチャネルに現れないように、相補的な方法でスペクトル波長を分離する、請求項１１に記載の送信機。
【請求項１４】
前記仮想Ｉ／Ｑ多重化に用いられる前記相補的スペクトル符号化（ＣＳＥ）光符号は、互いに直交して非干渉条件をもたらす、請求項１１に記載の送信機。
【請求項１５】
２つの光符号は、Ｉ信号およびＱ信号の各々に対して１つずつ採用される、請求項１１に記載の送信機。
【請求項１６】
逆極性を有する２つのスペクトル分布に相補的スペクトル符号化（ＣＳＥ）光符号化信号を復号するように構成されたデコーダと、
各チャネルのＣＳＥ符号間の直交関係に起因する多重チャネル干渉を最小化しながら、直交周波数分割多重（ＯＦＤＭ）信号を抽出するように構成された平衡光検出器と、
を有する受信機。
【請求項１７】
検出されたＩ／Ｑチャネル波形をサンプリングする並列サンプラをさらに有する、請求項１６に記載の受信機。
【請求項１８】
前記デコーダは、第１のチャネルに現れるスペクトルビンが第２のチャネルに現れないように、相補的な方法でスペクトル波長を分離する、請求項１６に記載の受信機。
【請求項１９】
前記相補的スペクトル符号化（ＣＳＥ）光符号は、互いに直交して非干渉条件をもたらす、請求項１６に記載の受信機。
【請求項２０】
２つの光符号は、Ｉ信号およびＱ信号の各々に対して１つずつ採用される、請求項１６に記載の受信機。
【請求項２１】
前記デコーダは、２つの整合デコーダと、Ｉ信号を復号する１つの整合デコーダと、Ｑ信号を復号する１つの整合デコーダとを含む、請求項１６に記載の受信機。
【発明の詳細な説明】
【技術分野】
【０００１】
本発明は、セキュアな光信号伝送に関し、より詳しくは、光符号分割における仮想Ｉ／Ｑ多重化のシステムおよび方法に関する。
【背景技術】
【０００２】
直交周波数分割多重（ＯＦＤＭ；orthogonal frequency division multiplexing）が無線通信において広く採用されている。ＯＦＤＭは、デジタル高速フーリエ変換（ＦＦＴ）および高速フーリエ逆変換（ＩＦＦＴ）による、マルチパスフェージングに対するそのロバスト性と高いサブキャリア密度のために、ＷｉＦｉ(Wireless Fidelity)およびＷｉＭＡＸ(Worldwide Interoperability for Microwave)のような無線放送システムの中心となっている。ＰＯＮ（パッシブ光ネットワーク；passive optical network）のような基盤となる光バックボーンネットワークが広範囲に展開されるようになり、ＲＯＦ（ファイバを介した無線；Radio over Fiber）の拡張可能（スケーラブル）でセキュアなアクセスを与える、高速ＰＯＮのコスト効率の良い実装が大きな関心事となっている。
【０００３】
ＯＦＤＭは、そのサブキャリア上での位相偏移変調（ＰＳＫ；phase shift keying）または直交振幅変調（ＱＡＭ；quadrature amplitude modulation）のようなＭ値(M-ary)変調により、低コストの光コンポーネントを用いて、より良いスペクトル利用効率およびより高い送信速度を提供することができる。従来、これらのキャリア位相変調方式は、通常、コヒーレント光検出のような、レーザ光源の位相雑音と局部発振器による２段階のより低い周波数への周波数変換の位相雑音とに関して厳しい条件を必要とする、位相に敏感なシステムを必要とした。コヒーレント光手法においてＭ値ＯＦＤＭ信号に使用される技術は、その複雑さと高コストにより、商業的応用までにはより一層成熟する必要がある。
【０００４】
光符号分割多元接続（ＯＣＤＭＡ；Optical Code Division Multiple Access）は、拡張性（スケーラビリティ）および物理的セキュリティを備えた多重通信チャネルへのロバストで非同期でのアクセスを与えることができるので、近年広く注目されている。２値(Binary)ＰＳＫ（ＢＰＳＫ）および直交(Quadrature)ＰＳＫ（ＱＰＳＫ）送信は、送信されたシンボル内の各値を表す光符号を用いることにより実現されていた。しかしながらこれらの方法は、デジタルデータ伝送しかサポートすることができず、ＯＦＤＭ信号のアナログ波形には適用することできない。さらに、アルファベットごとに１つの光符号を必要とするので、これらの方法は、Ｍ値システムのアルファベットがより大きくなる場合（例えば１６−ＱＡＭ）には、拡張性の問題を抱えることになる。スペクトル符号化ＯＣＤＭＡシステムは、ＲＯＦ用途のためのアナログ信号波形をサポートすることが示されている。
【発明の開示】
【発明が解決しようとする課題】
【０００５】
本発明の目的は、上述した背景技術の課題を解決し、セキュアなローカルエリアＯＦＤＭ用の光符号分割における仮想Ｉ／Ｑ多重化のシステムおよび方法を提供することにある。
【課題を解決するための手段】
【０００６】
セキュアなローカルエリアＯＦＤＭ用の光符号分割における仮想Ｉ／Ｑ多重化のシステムおよび方法は、複数のスペクトルビン(spectral bin)を含む広域スペクトル信号を符号化して、少なくとも２つのチャネル上に相補的スペクトル符号を与えることを含んでいる。相補的スペクトル符号は、各チャネルごとに逆極性で強度変調される。Ｍ値直交周波数分割多重（ＯＦＤＭ）信号は、逆極性の相補的スペクトル符号を用いて、別々の相補的スペクトル符号化（ＣＳＥ）光符号で変調され、ＯＦＤＭ信号に対する仮想同相（Ｉ）／直交（Ｑ）（Ｉ／Ｑ）多重化を与える。
【０００７】
これらおよび他の特徴および利点は、添付の図面に関して読まれるべき、その例示となる実施形態に関する以下の詳細な説明から明白になるであろう。
【発明を実施するための最良の形態】
【０００８】
本発明が依拠する原理にしたがって、相補的スペクトル符号化システムおよび方法が、Ｍ値ＯＦＤＭ用途の仮想Ｉ／Ｑ多重化に対して提供される。Ｍ値ＯＦＤＭ信号の同相（Ｉ）／直交（Ｑ）値は、符号設計の優れた直交性により、別々の光符号によって搬送することができる。この手法は、ファイバを介したＯＦＤＭ無線(OFDM Radio over Fiber)用途に対し、拡張可能なアクセスおよびセキュリティ・アドオンも提供する。
【０００９】
Ｍ値ＯＦＤＭ用途の仮想Ｉ／Ｑ多重化を可能にする相補的スペクトル符号化方式は、ＯＦＤＭのアナログ波形を含む、種々の信号変調フォーマットをサポートすることができる。相補的スペクトル符号化方式は、インコヒーレント（非コヒーレント）手法であるので、光源のコヒーレンス性（可干渉性）に対する要求は低い。したがってこの方式は、既製のコンポーネントを利用できるそのコスト効率の良い設計により、ＰＯＮ用途に適している。
【００１０】
符号設計の優れた直交性は、異なるチャネル間の最小の干渉、したがってＩ／Ｑ多重化の完全性を保証するだろう。さらに、１つはＩ信号に、もう１つはＱ信号に、というように２つの光符号だけが用いられるので、１６−ＱＡＭのようにより多くのシンボルアルファベットを使用して、全体としてのデータ転送速度を高めることができる。これにより、さらに低コストでより高いデータ転送速度を実現できることになる。
【００１１】
本明細書に説明された実施形態は、完全にハードウェアであっても、完全にソフトウェアであっても、あるいはハードウェア要素およびソフトウェア要素の両方を含んでいてもよい。好ましい実施形態において本発明は、ハードウェアとソフトウェアとの組み合わせで実現される。ソフトウェアは、ファームウェア、常駐のソフトウェア、マイクロコード等を含んでいてもよいが、これに限定されるものではない。
【００１２】
実施形態は、コンピュータまたは任意の命令実行システムによってまたはそれらに関連して使用されるプログラムコードを提供するコンピュータ使用可能媒体またはコンピュータ可読媒体からアクセス可能なコンピュータプログラム製品を含んでいてもよい。コンピュータ使用可能媒体またはコンピュータ可読媒体は、命令実行システム、機器または装置によってまたはそれらに関連して使用されるプログラムを、格納、通信、伝搬、または搬送する任意の装置を含んでいてもよい。この媒体は、磁気、光学、電子的、電磁的、赤外線、または半導体のシステム（または装置またはデバイス）、または伝搬媒体であることができる。媒体は、半導体または固体メモリ、磁気テープ、リムーバブルなコンピュータディスケット、ランダムアクセスメモリ（ＲＡＭ）、読み取り専用メモリ（ＲＯＭ）、剛体磁気ディスクおよび光ディスク等のような、コンピュータ可読媒体を含んでいてもよい。
【００１３】
ここで、類似の参照番号が同一または類似の要素を示す図面を参照して、本発明の実施形態を説明する。最初に図１を参照すると、本発明の原理に基づく相補的スペクトル符号化を示すための例示の実施形態に基づく送信機１００および受信機１５０が示されている。送信機１００では、分布帰還型（ＤＦＢ；distributed feedback）レーザまたは高輝度発光ダイオード（ＳＬＥＤ；super-luminescent light emitting diode）のような多波長光源１０２が採用され、エンコーダ（符号化器）１０４に対し、広域スペクトル光信号を送る。光源信号は、異なるテクスチャのビンまたは領域（例えば、スペクトルビンは、例えば各ビンにつき１００ＧＨｚの間隔を有する８つのビンであってもよい）として図１に示された多波長（広域スペクトル）を含んでいる。エンコーダ１０４は、光エンコーダ１０４中のスペクトルビンの配置により、広域スペクトルを２つの相補的スペクトル分布１０６，１０８に分離する。
【００１４】
光エンコーダ１０４は、光ファイバブラッグ格子（ＦＢＧ；fiber Bragg grating）またはアレイ導波路回折格子（ＡＷＧ；array waveguide grating）のような、統合された波長分割多重（ＷＤＭ；wavelength division multiplexing）フィルタ技術によって実現され、相補的スペクトル符号化（ＣＳＥ；complementary spectral encoding）を提供することができる。その後、２つのスペクトル分布１０６，１０８は、変調器（ＭＯＤ）１１０により、電子的に生成されたＯＦＤＭ信号１１２の逆極性で、強度について別々に変調される。各ＣＳＥ符号は相補的な２つのスペクトル分岐(spectral tributary)を有し、この２つの分岐は、設計の際には、１つの符号としてともに見なされる。
【００１５】
実数値および虚数値の両方を含むことができるＯＦＤＭ信号の内容は、電子的なデジタル／アナログ変換器（ＤＡＣ）によって生成される。ここで変調とは、電子信号の光学的に符号化された信号への変換を意味している。各ＣＳＥチャネルは、ＯＦＤＭ信号のちょうど半分（実数または虚数）をサポートすることができる。ＬｉＮＢＯ3  マッハ−ツェンダー干渉計（ＭＺＩ）のような電気光学（ＥＯ）強度変調器を使用することができる。
【００１６】
逆極性変調は、特殊な機能であり、ＣＳＥ符号の２つのスペクトル分岐が差動的(differentially)に変調されることを提供するであろう。例えば、ＥＯ変調のための電子信号がｓｉｎ（ωｔ）である場合、一方のスペクトル分岐は信号（１＋ｓｉｎ（ωｔ））で駆動され、他方のスペクトル分岐は信号（１−ｓｉｎ（ωｔ））で駆動される。（ＥＯ変調の後では負の数は存在しない）。
【００１７】
変調は、例えば相補的なスペクトルの符号を逆極性で強度変調し、次に、異なる相補的スペクトル符号化（ＣＳＥ）符号上のＭ値ＯＦＤＭのＩ／Ｑチャネルを別々に変調する強度変調と同時に、またはそれとは別個に行われてもよい、仮想ＩＱ多重化を含んでいてもよい。
【００１８】
その後、２つの変調された分布はマルチプレクサ１１４を用いて合成（合波）され（例えば、受動的に結合されて）、相補的スペクトル符号化（ＣＳＥ）信号１１６を形成する。その後、２つの変調された分布は合成されて次式を形成する。
【００１９】
【数１】
2009095025.tif 000003
【００２０】
ここで、
【００２１】
【数２】
2009095025.tif 000004
【００２２】
は、システム全体にわたって同じであると仮定すると、個々のスペクトルビンの平均電力であり、Ｓ(ｔ)は、１および−１で最大および最小である、正規化された同相または直交のＯＦＤＭ信号であり、
【００２３】
【数３】
2009095025.tif 000005
【００２４】
は、相補的なスペクトル符号化用の符号ベクトルであり、ベクトル要素の数Ｎは、ＣＳＥ信号に用いたスペクトルビンの数に等しい。ベクトル要素は、１と−１の値をとり、これらの値の各々は、エンコーダ１０４によって生成された２つの相補的なスペクトル分布のうちの１つを表す。
【００２５】
その後、合成された変調分布は、符号多重化（１１４）によって、ネットワーク１１８へ送信される。ＣＳＥ信号は、符号分割多元接続（ＣＤＭＡ；Code Division Multiple Access）技術を利用して、ファイバ伝送路またはＰＯＮネットワーク上で送信されるのが好ましい。
【００２６】
受信機１５０では、まず、多重化信号１１６が、対象とするＣＳＥ  ＯＦＤＭ信号用の整合(matched)デコーダ（復号器）１５２に送信される。多重化信号をすべて復号するのに必要なデコーダの数は、送信中に使用されたエンコーダの数に等しい。１つのＯＦＤＭチャネルをＩ／Ｑ多重化する構成では、合計２つのＣＳＥエンコーダ、および２つのＣＳＥデコーダが使用されるであろう。ネットワーク上で送信されているＯＦＤＭチャネル（または任意の他のＣＳＥ信号）がより多くある場合、さらに多くのエンコーダおよびデコーダを用いてもよい。ＣＯＭＡネットワークがサポートできるチャネルの総数は、用いられるスペクトルビンの数とほぼ等しい直交符号の総数に依存している。
【００２７】
デコーダ１５２は、整合エンコーダ１０４の場合と全く同じように、入力信号を２つのスペクトル分布１５６，１５８に分割する。ＦＢＧおよび／またはＡＷＧをＣＳＥ復号に用いてもよい。互いに補完的である２つの分布１５６，１５８は、平衡光検出器１６０の２つの入力端子に送信される。２つの分布１５６，１５８に正確な逆極性を有し正確に復号されたＣＳＥ信号は、平衡検出によってこのように再生され、送信ＯＦＤＭ信号を生成することができる。平衡光検出器１６０は、フォトダイオードまたは他の光感知素子のような光検出器（ＰＤ）１６４を含んでいてもよい。平衡光検出器１６０は、多重チャネル干渉を最小化しながら、対象とする信号を抽出する。ネットワーク１１８の中で用いられるＣＳＥ符号は互いに直交するように設計されており、したがって同じネットワーク上で多重化された他のＣＳＥ信号の減算された光電流（ＩPD1−ＩPD2）は０になり、理論上、対象とする信号への干渉を生成しない。ＣＳＥデコーダにとって、対象とする信号は、基本的には、整合ＣＳＥエンコーダを使用して符号化される信号である。任意の形態の信号が用いられてもよいことに留意されたい。
【００２８】
正確に復号された信号に対する減算された光電流は、次式の形式をとってもよい。
【００２９】
【数４】
2009095025.tif 000006
【００３０】
同じ検出器では、ＣＳＥ直交信号に対する減算された光電流は、次式のようになる。
【００３１】
【数５】
2009095025.tif 000007
【００３２】
仮想Ｉ／Ｑ多重化に用いられるＣＳＥ符号は、互いに直交するように設計されているので、
【００３３】
【数６】
2009095025.tif 000008
【００３４】
は０になり、対象とする信号に対する無干渉条件を生成する。
【００３５】
図２を参照すると分かるように、２つのＣＳＥチャネルを用いて、Ｍ値ＯＦＤＭ送信をサポートすることができる。図２にはＱＰＳＫ信号に対するＩ／Ｑ多重化の原理の一例が示されており、黒丸２０２は、ＱＰＳＫシンボルの値を示している。Ｉ軸上に示されたそれらの値（×印２０４）は光符号ＣIによって符号化されるが、その一方、別の光符号ＣQが、Ｑ軸上に示された値（×印２０６）を符号化するのに用いられる。
【００３６】
受信機側では、２つの整合デコーダが、入力ＣＳＥ  Ｍ値ＯＦＤＭ信号の各々の同相成分および直交成分を識別するために使用される。仮想Ｉ／Ｑ多重化に用いられるＣＳＥ符号は、互いに直交するように設計されており、したがって、同相信号と直交信号との間の交差干渉(cross interference)を生成しない。
【００３７】
光ＣＤＭＡシステムは、仮想Ｉ／Ｑ多重化の方法によるＭ値ＯＦＤＭ送信をサポートするのに使用される、少なくとも２つのＣＳＥチャネルを有している。仮想Ｉ／Ｑ多重化に用いられるＣＳＥ符号は互いに直交するように設計されており、したがって同相信号と直交信号との間の交差干渉を最小化することができる。光ＣＤＭＡネットワーク中の受信機は、次に、２つの整合デコーダを使用して、入力ＣＳＥ  Ｍ値ＯＦＤＭ信号の各々のＩ／Ｑ成分を識別することができる。受信機１５０は、検出されたＩ／Ｑチャネル波形の並列サンプリングによって、Ｉ／Ｑ信号の再合成を行ってもよい。電子的な高速フーリエ変換（ＦＦＴ）が、複素入力値を有するＯＦＤＭ信号逆多重化に用いられる。仮想Ｉ／Ｑ多重化の使用は、ＣＳＥ符号上での直接強度変調を利用して実現することができ、システムの複雑さおよびコストを削減するために、コヒーレント検出を利用するのを回避することができる。
【００３８】
ＯＦＤＭはマルチキャリア多重化の形態であり、そこでは、信号が送信用の多くのサブキャリアに分割されている。各サブキャリアは独立して変調される。この変調は、上記のＥＯ変調とは異なっていることに留意されたい。多重化については、高速フーリエ逆変換（ＩＦＦＴ）の動作がすべてのサブキャリア上で行われ、その結果が直列化されてＯＦＤＭ信号を生成する。逆に、サンプリング、並列化およびＦＦＴの工程を通じて、サブキャリアを逆多重化することができる。これらは電子的なＯＦＤＭの標準的な工程である。本手法は、ＣＳＥ符号を用いる仮想ＩＱ多重化を使用することにより、ＩＦＦＴの結果での複素数値の問題を解決するものである。受信機では、ＯＦＤＭ信号の実数および虚数の部分は、別々にサンプリングおよび並列化される。その後、これらの部分は合成されて（組み合わされて）、ＦＦＴ入力用の複素数値を生成する。
【００３９】
図３は送信方法を例示的に示している。ブロック３０２では、複数のスペクトルビンを含む広域スペクトル信号が符号化されて、少なくとも２つのチャネル上に、相補的なスペクトル符号を与える。これは、第１のチャネルに現れるスペクトルビンが第２のチャネルに現れないように、相補的な方法でスペクトル波長を分離することを含んでいる。
【００４０】
ブロック３０４では、相補的なスペクトル符号は各チャネルごとに逆極性で強度変調される。ブロック３０６では、送信される信号が変調される。例えば、Ｍ値直交周波数分割多重（ＯＦＤＭ）信号が、逆極性の相補的なスペクトル符号を用いて、別々の相補的スペクトル符号化（ＣＳＥ）光符号で変調され、ＯＦＤＭ信号に対して仮想同相（Ｉ）／直交（Ｑ）（Ｉ／Ｑ）多重化を提供する。仮想Ｉ／Ｑ多重化に用いられるこの相補的スペクトル符号化（ＣＳＥ）光符号は、互いに直交して非干渉条件をもたらす。２つの光符号は、Ｉ信号およびＱ信号の各々に対して１つずつ採用されるのが好ましい。ブロック３０８では、別個の相補的スペクトル符号化（ＣＳＥ）光符号チャネルが、送信用にネットワークリンクに結合されている。
【００４１】
図４は、相補的スペクトル符号化（ＣＳＥ）光符号化信号を受信する方法を例示的に示している。ブロック４０２では、相補的スペクトル符号化（ＣＳＥ）光符号化信号が、逆極性を有する２つのスペクトル分布に復号されて、少なくとも２つのチャネル上に相補的なスペクトル符号を与える。ブロック４０４では、整合デコーダを使用し、検出されたＩ／Ｑチャネル波形の並列サンプリングを用いてネットワークからの入力信号を復号してもよい。この復号は、第１のチャネルに現れるスペクトルビンが第２のチャネルに現れないように、相補的な方法でスペクトル波長を分離することを含んでいる。相補的スペクトル符号化（ＣＳＥ）光符号が、互いに直交して非干渉条件をもたらすことが好ましい。
【００４２】
ブロック４０６では、送信信号、例えば直交周波数分割多重（ＯＦＤＭ）信号が、各チャネルのＣＳＥ符号間の直交関係に起因する多重チャネル干渉を最小化しながら、平衡光検出器を使用して、少なくとも２つのチャネルから抽出される。２つの光符号は、Ｉ信号およびＱ信号の各々に対して１つずつ採用されているのが好ましい。
【００４３】
システムおよび方法の好ましい実施形態（例示として意図したものであり、限定するものではない）を説明したが、当業者には、上記の教示に照らして変更および変形を行うことができることに留意されたい。したがって、添付の請求項によって略述されるような本発明の範囲と精神を逸脱することなく、開示された特定の実施形態において、変更がなされてもよいことが理解されるべきであろう。このように、特許法により要求された詳細および特殊性で本発明の態様を説明したが、特許によって保護された要求および所望のものは、添付の請求項で説明されている。
【００４４】
（関連出願情報）
本出願は、参照によって本書に組み込まれている２００７年１０月８日に出願された仮出願番号第６０／９７８，２８２号に対する優先権を主張する。
【図面の簡単な説明】
【００４５】
【図１】本発明の例示的な実施形態における、相補的なスペクトルの符号化および復号を行う送信機および受信機を示すブロック図である。
【図２】本発明の例示的な実施形態における光符号を説明するＩ／Ｑ図である。
【図３】本発明の実施の一形態における送信方法を示すブロック及びフローチャートである。
【図４】本発明の実施の一形態における受信方法を示すブロック及びフローチャートである。
【符号の説明】
【００４６】
１００    送信機
１０２    多波長光源
１０４    エンコーダ（符号化器）
１１０    変調器
１１４    マルチプレクサ
１５０    受信機
１５２    デコーダ（復号器）
１６０    平衡光検出器
１６４    光検出器（ＰＤ）
【図１】
2009095025.tif 000009
【図２】
2009095025.tif 000010
【図３】
2009095025.tif 000011
【図４】
2009095025.tif 000012